(57)【特許請求の範囲】
【請求項１】
同一周波数が割り当てられた複数のセクタセルのそれぞれの配置角度に応じた指向性アンテナを有する一つの基地局と複数の端末局とがＴＤＭＡ−ＴＤＤ方式で通信をおこなう無線通信システムで、前記一つの基地局が、前記セクタセル毎に、前記端末局との通信を確立するための上りおよび下りの制御チャネルをＴＤＭＡ−ＴＤＤフレーム内の所定のタイムスロット位置に配置する制御チャネル配置方法において、
前記制御チャネルを配置されたＴＤＭＡ−ＴＤＤフレームを全セクタセルに割り当てるために必要な、１周期分のフレーム構成に亘る各タイムスロットの受信レベルを、前記セクタセル毎に測定する受信レベル測定工程と、
前記セクタセルのうち第１のセクタセルに対して測定された前記受信レベル測定工程による受信レベル測定結果と、前記第１のセクタセルと対向位置にある第２のセクタセルに対して測定された前記受信レベル測定工程による受信レベル測定結果と、を用いて、前記１周期分のフレーム構成に亘るタイムスロットのうち、同一周波数による干渉妨害を受けているタイムスロットを除外した、前記制御チャネルを配置することが可能なタイムスロットを抽出するタイムスロット抽出工程と、
前記所定のタイムスロット位置が前記タイムスロット抽出工程によって抽出されたタイムスロットと一致するように、前記制御チャネルを配置したＴＤＭＡ−ＴＤＤフレームを前記セクタセル毎に割り当てるフレーム割り当て工程と、
を含んだことを特徴とする制御チャネル配置方法。
【請求項２】
前記タイムスロット抽出工程は、前記第１のセクタセルに対して測定された前記受信レベル測定工程による受信レベルが所定の閾値以下であるタイムスロットであって、かつ前記第２のセクタセルに対して測定された前記受信レベル測定工程による受信レベルが所定の閾値以下であるタイムスロットを、前記第１のセクタセルにおいて前記制御チャネルを配置することが可能なタイムスロットと判断することを特徴とする請求の範囲第１項記載の制御チャネル配置方法。
【請求項３】
前記タイムスロット抽出工程は、前記第１のセクタセルに対して測定された前記受信レベル測定工程による受信レベルと前記第２のセクタセルに対して測定された前記受信レベル測定工程による受信レベルとを組み合わせて定まる値が最小となるタイムスロットから順に、前記第１のセクタセルにおいて前記制御チャネルを配置することが可能なタイムスロットと判断することを特徴とする請求の範囲第１項記載の制御チャネル配置方法。
【請求項４】
前記ＴＤＭＡ−ＴＤＤフレームは、上りの制御チャネルを配置するための複数のタイムスロット位置と下りの制御チャネルを配置するための複数のタイムスロット位置とを確保するとともに当該複数のタイムスロット位置に互いに異なるセクタセルの制御チャネルを配置して構成され、
前記フレーム割り当て工程では、各セクタセルに割り当て可能な制御チャネル配置位置を、前記１周期分を構成する複数のＴＤＭＡ−ＴＤＤフレームにあらかじめ規定しておき、同一のセクタセルに割り当て可能な制御チャネル配置位置の中から、前記タイムスロット抽出工程によって抽出されたタイムスロットと一致する制御チャネル配置位置を一つ選択し、セクタセル毎に、選択した位置に制御チャネルを配置したＴＤＭＡ−ＴＤＤフレームを割り当てることを特徴とする請求の範囲第１項記載の制御チャネル配置方法。
【請求項５】
前記ＴＤＭＡ−ＴＤＤフレームは、上りの制御チャネルを配置するための複数のタイムスロット位置と下りの制御チャネルを配置するための複数のタイムスロット位置とを確保して構成されるとともに、前記受信レベル測定工程によって測定された受信レベル測定結果に基づいて、前記制御チャネルを配置するための複数のタイムスロット位置に互いに異なるセクタセルの制御チャネルが配置され、
前記フレーム割り当て工程では、各セクタセルに割り当て可能な制御チャネル配置位置を、前記１周期分を構成する複数のＴＤＭＡ−ＴＤＤフレームにあらかじめ規定しておき、同一のセクタセルに割り当て可能な制御チャネルの配置位置の中から、前記タイムスロット抽出工程によって抽出されたタイムスロットと一致する制御チャネル配置位置を一つ選択し、セクタセル毎に、選択した位置に制御チャネルを配置したＴＤＭＡ−ＴＤＤフレームを割り当てることを特徴とする請求の範囲第１項記載の制御チャネル配置方法。
【請求項６】
前記フレーム割り当て工程によって前記制御チャネルが配置されたタイムスロットの受信レベルを前記セクタセル毎に定期的に測定する受信レベル再測定工程と、
前記受信レベル再測定工程によって測定された受信レベルが所定の閾値以上を示す場合に、前記フレーム割り当て工程を実行するフレーム再割り当て工程と、
を含んだことを特徴とする請求の範囲第１項に記載の制御チャネル配置方法。
【請求項７】
前記フレーム再割り当て工程において実行される前記フレーム割り当て工程は、前記ＴＤＭＡ−ＴＤＤフレームを前または後の一つのタイムスロット分だけずれた位置に割り当てることを特徴とする請求の範囲第６項記載の制御チャネル配置方法。
【請求項８】
前記受信レベル再測定工程は、前記受信レベルによりキャリア対干渉波電力比を測定し、前記フレーム再割り当て工程は、前記受信レベル再測定工程によって測定されたキャリア対干渉波電力比が所定の閾値以上を示す場合に、前記フレーム割り当て工程を実行することを特徴とする請求の範囲第６項記載の制御チャネル配置方法。
【請求項９】
前記受信レベル再測定工程は、測定対象となるタイムスロットを閉塞した状態で、前記受信レベルによりキャリア対干渉波電力比を測定し、前記フレーム再割り当て工程は、前記受信レベル再測定工程によって測定されたキャリア対干渉波電力比が所定の閾値以上を示す場合に、前記フレーム割り当て工程を実行することを特徴とする請求の範囲第６項記載の制御チャネル配置方法。
【請求項１０】
前記フレーム再割り当て工程は、前記受信レベル再測定工程によって測定されたキャリア対干渉波電力比が所定の閾値以上を示す状態が所定時間持続する場合に測定対象となるタイムスロットが干渉妨害を受けているものと判定して、前記フレーム割り当て工程を実行することを特徴とする請求の範囲第８項記載の制御チャネル配置方法。
【請求項１１】
前記受信レベル再測定工程は、受信レベルとして上りの制御チャネルの誤り検出率を測定し、前記フレーム再割り当て工程は、前記受信レベル再測定工程によって測定された誤り検出率が所定の閾値以上を示す場合に、前記フレーム割り当て工程を実行することを特徴とする請求の範囲第９項記載の制御チャネル配置方法。
【発明の詳細な説明】
【０００１】
【発明の属する技術分野】
この発明は、自動車電話や携帯電話等の無線端末局を用いた無線通信システムにおいて、その端末局と基地局との無線通信を確立するための制御チャネルをＴＤＭＡ−ＴＤＤフレーム中の最適なタイムスロットに配置する制御チャネル配置方法に関するものである。
【０００２】
【従来の技術】
自動車電話や携帯電話のような移動通信サービスを提供するためのゾーン構成技術として、複数の基地局を設置し、各基地局を中心として複数の小さな無線ゾーン（以下、セルと称する）を隙間無く組み合わせて構成されるセルラー方式が採用されている。
【０００３】
このセルラー方式は、同一チャネルを互いに干渉妨害が発生しないゾーン間で繰り返し利用することにより、広い通信サービスエリアを提供する方式である。ここで、基地局のアンテナが水平面内無指向性であるとき、地形・地物の影響を無視したとしたならば各基地局のカバーするエリアの形状は円形となる。これら円形のエリアをカバーするセルは特にオムニセルと呼ばれ、隣接するオムニセルのオーバーラップ部分においてチャネルの切り替えがおこなわれる。
【０００４】
このオムニセル構成のゾーンに対して、基地局のアンテナとして指向性アンテナを使用し、各アンテナのビーム幅が円形のカバーエリアを複数の同じ大きさの扇形のセル（以下、セクタセルと称する）に分割するように設定されたセクタセル構成のゾーンが知られている。
【０００５】
セクタセル構成のゾーンでは、指向性アンテナを用いているため、アンテナ指向方向以外の方向から到来する干渉波の影響を除去することが可能となり、かつ逆にアンテナ指向方向以外の同一チャネルの基地局に対して干渉電波を放射することがなくなる。これにより同一チャネルを割り当てる基地局間隔を近づけて空間的なチャネル利用効率を向上させることができ、無指向性アンテナを用いたオムニセルに比べ、全体としてチャネルの利用効率が向上する。
【０００６】
このような理由から、自動車電話や携帯電話等の移動通信をおこなう無線通信システムにおいては、利用者の増加に応じて、セル半径の小さなオムニセルを用いたゾーン構成の採用から、セクタセルを用いたゾーン構成の採用へと変遷している。
【０００７】
一方、自動車電話や携帯電話において採用されているディジタル無線アクセス方式のうち代表的なものとして、時分割多元接続（ＴＤＭＡ：Time  Division  Multiple  Access）方式が知られている。ＴＤＭＡ方式とは、所定の周波数帯域幅を持った信号を時間軸で分割し、その分割した時間帯を一つのチャネルとして各ユーザに周期的に割り当てて通信をおこなう方式である。このＴＤＭＡ方式により、各ユーザは所定の帯域幅を持った同一の周波数で、短い周期ごとに割り当てられてくる時間帯（タイムスロット）において通信をおこなうことができる。
【０００８】
このＴＤＭＡ方式の特徴を挙げると、以下のようになる。第１に、１台の送受信機で複数のユーザが同時に通信でき、基地局を小型かつ低コストにより実現することができる。第２に、通信時間は割り当てられたタイムスロットの時間のみでよいので空き時間が生じ、このとき周辺の電波の状況が監視できる。第３に、通信中における動作時間が間欠的であるので端末局における消費電力を低減することができる。
【０００９】
さらに、無線アクセス方式としてＴＤＭＡ方式を採用する場合、端末局と基地局間の送受信においていずれも同一の周波数を用いて時分割でその送受信をおこなう時分割複信（ＴＤＤ：Time Division Duplex）方式を併用することができる。ＴＤＤ方式では、電波伝搬の特性が「上り」（端末局から基地局）と「下り」（基地局から端末局）で同一となるため、基地局側でのみ電波伝搬の変動対策をおこなうことができる。
【００１０】
このＴＤＭＡ−ＴＤＤ方式を採用した送受信のフレーム構成は、たとえば、一つのフレームを、上りと下りの二つのタイムスロットからなる対を４つ配置することで構成する。この場合、最初の一つの対が制御チャネルとして使用され、残りの三つの対が通知チャネルとして使用される。よって、この例では１基地局に対して同時に通信可能な端末局の数は三つとなる。
【００１１】
ここで、制御チャネルは、基地局から端末局方向の「下り制御チャネル」と端末局から基地局方向の「上り制御チャネル」とに分けることができる。下り制御チャネルは、所属基地局ＩＤや周辺基地局の制御チャネル周波数などの基地局固有の情報などを端末局に通知するための報知チャネル（ＢＣＣＨ：Broad  Cast  CHannel）や着信情報を送出するための一斉呼出しチャネル（ＰＣＨ：Paging  CHannel）などから構成される。
【００１２】
また、上り制御チャネルは、発信受付や無線チャネル指定などをおこなうためのランダムアクセス形の共通双方向制御チャネル（ＳＣＣＨ：Signal  Control  CHannel）などから構成される。第１４図は、従来のＴＤＭＡ−ＴＤＤ方式におけるフレーム構成を示す説明図である。第１４図において、使用タイムスロットは、上記した例に従って、上りと下りからなる４つの対のタイムスロットを一つのＴＤＭＡ−ＴＤＤフレームとしている。
【００１３】
特に、この例において上り制御チャネルは、２０フレームを一つの新たなフレームとするマルチフレーム構成で、下り制御チャネルは、１２のマルチフレームを新たなフレームとするスーパーフレーム構成である。
【００１４】
以上に説明したＴＤＭＡ−ＴＤＤ方式は、携帯電話や自動車電話における無線アクセス方式として適用されており、このＴＤＭＡ−ＴＤＤ方式を採用した無線通信システムにおいて、より高品質な通信を実現するべく種々の制御チャネル設定方法が提案されている。
【００１５】
たとえば、下記特許文献１に開示の「制御チャネル設定方法」によれば、自局の下り制御チャネルの干渉を低減させるために、親局（基地局）が制御信号（制御チャネル）用周波数の全チャネルの受信レベルを測定し、ＴＤＭＡ−ＴＤＤ方式において対をなす下り制御チャネルと上り制御チャネルの組合わせのうち、周辺基地局の下り制御チャネルと上り制御チャネルとが重ならないように、各チャネルの受信レベルから使用可能な組み合わせを選択して制御チャネルとして設定することを特徴としている。
【００１６】
他の例として、下記特許文献２に開示の「ＲＡＤＩＯ  ＣＯＭＭＵＮＩＣＡＴＩＯＮ  ＳＹＳＴＥＭ」によれば、指向性アンテナを用いたセクタセルのゾーン構成の無線通信システムにおいて、特定の基地局が通信をおこなうに際し、あらかじめ用意した表に基づいて、それに隣接した基地局で通信に使用されているアンテナと同一方向となるアンテナを使用しないようにすることで、干渉の低減を図っている。
【００１７】
また、チャネル割当方法には、ゾーン相互間の干渉を考慮して各セルの使用するチャネルをあらかじめ固定的に割り当てる固定チャネル割当法と、チャネルの割当を各セルの呼の要求に応じて時間的に変化させるダイナミックチャネル割当法とがある。
【００１８】
特に、ダイナミックチャネル割当法は基地局が通信ごとに使用可能な全チャネルの中から特定のチャネルを選択し、選択したチャネルについてキャリア対干渉波電力（ＣＩ：carrier  to  interference）比を測定することでキャリアと干渉波の受信レベルを検出してそのチャネルが割り当て可能かどうかを判断する。
【００１９】
このダイナミックチャネル割当法は、呼量の時間的な変動に対して柔軟にチャネル割り当てに対応できるために、固定チャネル割り当て法に比べて周波数の利用効率が良い。よって、無線通信システムにおいて、ダイナミックチャネル割当法と上述したセクタセルのゾーン構成を組み合わせることで、周波数の利用効率の大幅な向上が図られている。
【００２０】
【特許文献１】
特開平第７−２４５７８０号公報
【特許文献２】
ＵＳＰ２３６，３９２
【００２１】
【発明が解決しようとする課題】
しかしながら、上記した特開平第７−２４５７８０号公報に開示の「制御チャネル設定方法」は、オムニセルのゾーン構成において、端末局と複数の基地局との間の制御チャネルの干渉を低減させるためのものであり、セクタセル構成の基地局に対して各セクタに割り当てられた制御チャネルの干渉を低減させることはできない。
【００２２】
また、上記したＵＳＰ２３６，３９２に開示の「ＲＡＤＩＯ  ＣＯＭＭＵＮＩＣＡＴＩＯＮ  ＳＹＳＴＥＭ」は隣接した基地局との干渉を低減するものではあるが、それを実現するのに制御チャネルの配置を変更するものではなく、多くの端末局が同時に通信をおこなう際には干渉の問題を解決することはできない。
【００２３】
また、上記したダイナミックチャネル割当法を用いる場合には、割り当て候補のチャネルのＣＩ比が所定の閾値以上であればそのチャネルを割り当てるが、その割り当てにより、周囲で同一チャネルを用いて通信をおこなっている端末局または基地局に対して干渉妨害を及ぼす可能性がある。さらに、セクタセル構成の基地局においては、チャネルの割り当てタイミングの違いにより、各セクタが受ける干渉量が異なってくるので、高品質な通信状態を定常的に得ることができなかった。
【００２４】
特に、正六角形セル内で指向性が６０°の指向性アンテナを用いた場合のセクタセル構成、すなわち６つのセクタセルを有する基地局においては、セクタセルが互いに対向しているため、１のセクタセルにより端末局に対して送信される電波方向と、それに対向した位置にあるセクタセルが端末局から受信する電波方向とが一致する場合が生じ、これにより互いに干渉を及ぼすことがあった。
【００２５】
また、制御チャネルが１周期（セクタセル数分に亘るＴＤＭＡ−ＴＤＤフレーム数）に一つのみしか配置できないとすると、１周期分のＴＤＭＡ−ＴＤＤフレーム内の固定されたタイムスロット位置に制御チャネルの配置が不可能である場合も起こり得る。この場合、通信確立後において干渉等が発生し、制御チャネルの受信が不可能になった際に、ＴＤＭＡ−ＴＤＤフレームの再割り当てが必要になってしまう。
【００２６】
従って、本発明は、上記のような問題点を解決するためになされたもので、ＴＭＤＡ−ＴＤＤ方式を採用した無線通信システムにおいて、セクタセル構成の基地局が、同一周波数による干渉を回避するように制御チャネルを適切なタイムスロットに配置することにより高品質な無線チャネルを設定する制御チャネル配置方法を提供することを目的としている。
【００２７】
【課題を解決するための手段】
本発明にかかる制御チャネル配置方法にあっては、複数のセクタセルそれぞれの配置角度に応じた指向性アンテナを有する基地局と複数の端末局とがＴＤＭＡ−ＴＤＤ方式で通信をおこなう無線通信システムで、前記基地局が前記セクタセル毎に前記端末局との通信を確立するための上りおよび下りの制御チャネルをＴＤＭＡ−ＴＤＤフレーム内の所定のタイムスロット位置に配置する制御チャネル配置方法において、前記基地局のセクタセル数分のＴＤＭＡ−ＴＤＤフレームに亘る各タイムスロットの受信レベルを前記セクタセル毎に測定する受信レベル測定工程と、前記セクタセルのうち第１のセクタセルに対して測定された前記受信レベル測定工程による受信レベル測定結果と、前記第１のセクタセルと対向位置にある第２のセクタセルに対して測定された前記受信レベル測定工程による受信レベル測定結果と、を用いて、前記セクタセル数分のＴＤＭＡ−ＴＤＤフレームに亘るタイムスロットのうち前記制御チャネルを配置することが可能なタイムスロットを抽出するタイムスロット抽出工程と、前記ＴＤＭＡ−ＴＤＤフレーム内のタイムスロットのうち前記制御チャネルを配置する所定のタイムスロット位置と前記タイムスロット抽出工程によって抽出されたタイムスロットとが一致するように前記ＴＤＭＡ−ＴＤＤフレームを前記セクタセル毎に割り当てるフレーム割り当て工程と、を含んだことを特徴とする。
【００２８】
この発明によれば、無線アクセス方式としてＴＤＭＡ−ＴＤＤ方式を採用し、ゾーン構成としてセクタセルを採用した無線通信システムにおいて、複数のセクタセルを有する基地局が各セクタセル毎に上り制御チャネルおよび下り制御チャネルの双方をＴＤＭＡ−ＴＤＤフレーム内の所定のタイムスロット位置に配置して送信する際に、受信レベル測定工程によって基地局のセクタセル数分のＴＤＭＡ−ＴＤＤフレームに亘って各タイムスロットの受信レベルを各セクタセル毎に測定し、タイムスロット抽出工程によって、同一基地局内のすべてのセクタセルのうち第１のセクタセルに対して測定された受信レベル測定結果と第１のセクタセルと対向位置にある第２のセクタセルに対して測定された受信レベル測定結果とを用いて、セクタセル数分のＴＤＭＡ−ＴＤＤフレームに亘るタイムスロットのうち制御チャネルを配置することが可能なタイムスロットを抽出し、フレーム割り当て工程によって、タイムスロット抽出工程により抽出されたタイムスロットとＴＤＭＡ−ＴＤＤフレーム内のタイムスロットのうち制御チャネルを配置する所定のタイムスロット位置とが一致するようにＴＤＭＡ−ＴＤＤフレームを各セクタセル毎に割り当てているので、上り制御チャネルおよび下り制御チャネルの双方を同時に最適なタイムスロット位置に配置できる。
【００２９】
また、本発明にかかる制御チャネル配置方法にあっては、上記の制御チャネル配置方法において、前記タイムスロット抽出工程は、前記第１のセクタセルに対して測定された前記受信レベル測定工程による受信レベルが所定の閾値以下であるタイムスロットであって、かつ前記第２のセクタセルに対して測定された前記受信レベル測定工程による受信レベルが所定の閾値以下であるタイムスロットを、前記第１のセクタセルにおいて前記制御チャネルを配置することが可能なタイムスロットと判断することを特徴とする。
【００３０】
この発明によれば、タイムスロット抽出工程が、前記受信レベル測定工程によって測定された第１のセクタセルに対する前記セクタセル数分に亘るＴＤＭＡ−ＴＤＤフレーム内のタイムスロットのうち、その受信レベルが所定の閾値以下であるタイムスロットを特定し、さらにその特定したタイムスロットのうち、前記受信レベル測定工程によって測定された第２のセクタセル（第１のセクタセルと対向位置にあるセクタセル）に対する測定結果が所定の閾値以下となるタイムスロットを、第１のセクタセルにおける制御チャネル配置可能なタイムスロットと判断するので、干渉等により不安定な状態となっているタイムスロット位置を上り制御チャネルおよび下り制御チャネルの配置候補から除外することができる。
【００３１】
また、本発明にかかる制御チャネル配置方法にあっては、上記の制御チャネル配置方法において、前記タイムスロット抽出工程は、前記第１のセクタセルに対して測定された前記受信レベル測定工程による受信レベルと前記第２のセクタセルに対して測定された前記受信レベル測定工程による受信レベルとを組み合わせて定まる値が最小となるタイムスロットから順に、前記第１のセクタセルにおいて前記制御チャネルを配置することが可能なタイムスロットと判断することを特徴とする。
【００３２】
この発明によれば、タイムスロット抽出工程が、前記受信レベル測定工程によって測定された第１のセクタセルに対する受信レベル測定結果に第２のセクタセル（第１のセクタセルと対向位置にあるセクタセル）に対する受信レベル測定結果を加え、その加えた結果により得られる値が最小となるタイムスロットから順に、第１のセクタセルにおいて制御チャネルを配置することが可能なタイムスロットであると判断するので、より通信の安定な状態となっているタイムスロット位置を上り制御チャネルおよび下り制御チャネルの配置位置として割り当てることができる。
【００３３】
また、本発明にかかる制御チャネル配置方法にあっては、上記の制御チャネル配置方法において、前記ＴＤＭＡ−ＴＤＤフレームは、上りの制御チャネルを配置するための複数のタイムスロット位置と下りの制御チャネルを配置するための複数のタイムスロット位置とを確保するとともに当該複数のタイムスロット位置に互いに異なるセクタセルの制御チャネルを配置して構成され、前記フレーム割り当て工程は、前記セクタセル数分に亘るＴＤＭＡ−ＴＤＤフレーム内において、前記セクタセル毎に定まる特定のＴＤＭＡ−ＴＤＤフレーム内の前記制御チャネルを配置するためのタイムスロット位置と当該特定のＴＤＭＡ−ＴＤＤフレームとは異なる他のＴＤＭＡ−ＴＤＤフレーム内の前記制御チャネルを配置するためのタイムスロット位置とのいずれかのタイムスロット位置と、前記タイムスロット抽出工程によって抽出されたタイムスロットと、が一致するように前記特定のＴＤＭＡ−ＴＤＤフレームを割り当てることを特徴とする。
【００３４】
この発明によれば、ＴＤＭＡ−ＴＤＤフレームが、上りの制御チャネルと下りの制御チャネルを配置するためのタイムスロット位置をそれぞれ複数確保し、かつそれぞれの複数のタイムスロット位置に互いに異なるセクタセルのための制御チャネルを配置して構成されており、フレーム割り当て工程が特定のＴＤＭＡ−ＴＤＤフレーム（すなわち、特定のセクタセルに対応するＴＤＭＡ−ＴＤＤフレーム）の割り当てをおこなうに際し、セクタセル数分に亘るＴＤＭＡ−ＴＤＤフレーム内において、特定のＴＤＭＡ−ＴＤＤフレーム内の上記した制御チャネルを配置するためのタイムスロット位置とその特定のＴＤＭＡ−ＴＤＤフレームとは異なる他のＴＤＭＡ−ＴＤＤフレーム内の上記した制御チャネルを配置するためのタイムスロット位置とのいずれかのタイムスロット位置が、タイムスロット抽出工程により抽出されたタイムスロットに一致することを条件としているので、一つのセクタセルに対してＴＤＭＡ−ＴＤＤフレームの割り当てをおこなうのに、セクタセル数分のＴＤＭＡ−ＴＤＤフレームに亘って分散された複数の制御チャネル配置位置のうちから選択することができる。
【００３５】
また、本発明にかかる制御チャネル配置方法にあっては、上記の制御チャネル配置方法において、前記ＴＤＭＡ−ＴＤＤフレームは、上りの制御チャネルを配置するための複数のタイムスロット位置と下りの制御チャネルを配置するための複数のタイムスロット位置とを確保して構成されるとともに、前記受信レベル測定工程によって測定された受信レベル測定結果に基づいて、制御チャネルを配置するための複数のタイムスロット位置に互いに異なるセクタセルの制御チャネルが配置され、前記フレーム割り当て工程は、前記セクタセル数分に亘るＴＤＭＡ−ＴＤＤフレーム内において、前記セクタセル毎に定まる特定のＴＤＭＡ−ＴＤＤフレーム内の前記制御チャネルを配置するためのタイムスロット位置と当該特定のＴＤＭＡ−ＴＤＤフレームとは異なる他のＴＤＭＡ−ＴＤＤフレーム内の前記制御チャネルを配置するためのタイムスロット位置とのいずれかのタイムスロット位置と、前記タイムスロット抽出工程によって抽出されたタイムスロットと、が一致するように前記特定のＴＤＭＡ−ＴＤＤフレームを割り当てることを特徴とする。
【００３６】
この発明によれば、ＴＤＭＡ−ＴＤＤフレームが、上りの制御チャネルと下りの制御チャネルを配置するためのタイムスロット位置をそれぞれ複数確保し、かつ、受信レベル測定工程によって測定された受信レベル測定結果に基づいて、それぞれの複数のタイムスロット位置に互いに異なるセクタセルのための制御チャネルを配置するように構成され、フレーム割り当て工程が特定のＴＤＭＡ−ＴＤＤフレーム（すなわち、特定のセクタセルに対応するＴＤＭＡ−ＴＤＤフレーム）の割り当てをおこなうに際し、セクタセル数分に亘るＴＤＭＡ−ＴＤＤフレーム内において、特定のＴＤＭＡ−ＴＤＤフレーム内の上記した制御チャネルを配置するためのタイムスロット位置とその特定のＴＤＭＡ−ＴＤＤフレームとは異なる他のＴＤＭＡ−ＴＤＤフレーム内の上記した制御チャネルを配置するためのタイムスロット位置とのいずれかのタイムスロット位置が、タイムスロット抽出工程により抽出されたタイムスロットに一致することを条件としているので、一つのセクタセルに対してＴＤＭＡ−ＴＤＤフレームの割り当てをおこなうのに、セクタセル数分のＴＤＭＡ−ＴＤＤフレームに亘って分散された複数の制御チャネル配置位置のうちから選択することができる。
【００３７】
また、本発明にかかる制御チャネル配置方法にあっては、上記の制御チャネル配置方法において、前記フレーム割り当て工程によって前記制御チャネルが配置されたタイムスロットの受信レベルを前記セクタセル毎に定期的に測定する受信レベル再測定工程と、前記受信レベル再測定工程によって測定された前記受信レベルが所定の閾値以上を示す場合に、前記フレーム割り当て工程を実行するフレーム再割り当て工程と、を含んだことを特徴とする。
【００３８】
この発明によれば、無線アクセス方式としてＴＤＭＡ−ＴＤＤ方式を採用し、ゾーン構成としてセクタセルを採用した無線通信システムにおいて、複数のセクタセルを有する基地局が各セクタセル毎に上り制御チャネルおよび下り制御チャネルの双方をＴＤＭＡ−ＴＤＤフレーム内の所定のタイムスロット位置に配置して送信する際に、受信レベル測定工程によって、基地局のセクタセル数分のＴＤＭＡ−ＴＤＤフレームに亘って各タイムスロットの受信レベルを各セクタセル毎に測定し、タイムスロット抽出工程によって、同一基地局内のすべてのセクタセルのうち第１のセクタセルに対して測定された受信レベル測定結果と第１のセクタセルと対向位置にある第２のセクタセルに対して測定された受信レベル測定結果とを用いてセクタセル数分のＴＤＭＡ−ＴＤＤフレームに亘るタイムスロットのうち制御チャネルを配置することが可能なタイムスロットを抽出し、フレーム割り当て工程によってタイムスロット抽出工程により抽出されたタイムスロットとＴＤＭＡ−ＴＤＤフレーム内のタイムスロットのうち制御チャネルを配置する所定のタイムスロット位置とが一致するようにＴＤＭＡ−ＴＤＤフレームを各セクタセル毎に割り当てた結果として通信が確立している状態で、受信レベル再測定工程が、制御チャネルの配置されたタイムスロットの受信レベルをセクタセル毎に定期的に測定し、フレーム再割り当て工程が、その受信レベル測定結果が所定の閾値以上を示す場合にフレームの割り当て工程を再度実行するので、通信確立中において生じた干渉妨害による通信品質の低下を回避することができる。
【００３９】
また、本発明にかかる制御チャネル配置方法にあっては、上記の制御チャネル配置方法において、前記フレーム再割り当て工程において実行される前記フレーム割り当て工程は、前記ＴＤＭＡ−ＴＤＤフレームを前または後の一つのタイムスロット分だけずれた位置に割り当てることを特徴とする。
【００４０】
この発明によれば、フレーム再割り当て工程において実行される前記フレーム割り当て工程が、ＴＤＭＡ−ＴＤＤフレームを前または後の一つのタイムスロット分だけずれた位置に割り当てるので、ＴＤＭＡ−ＴＤＤフレームの再割り当てを前または後に一つのタイムスロット分だけずらしてその都度通信の確立を試みることにより、制御チャネルを配置可能なタイムスロットを検索するための演算処理を省略することができるとともに、通信確立が外れた時間を最小限に抑えることが可能となる。
【００４１】
また、本発明にかかる制御チャネル配置方法にあっては、上記の制御チャネル配置方法において、前記受信レベル再測定工程は、前記受信レベルによりキャリア対干渉波電力比を測定し、前記フレーム再割り当て工程は、前記受信レベル再測定工程によって測定されたキャリア対干渉波電力比が所定の閾値以上を示す場合に、前記フレーム割り当て工程を実行することを特徴とする。
【００４２】
この発明によれば、受信レベル再測定工程において測定される受信レベルからキャリア対干渉波電力比を取得し、フレーム再割り当て工程が、そのキャリア対干渉波電力比に応じてフレーム割り当て工程を実行することができるので制御チャネルが干渉妨害を受けているか否かの判定を正確におこなうことができる。
【００４３】
また、本発明にかかる制御チャネル配置方法にあっては、上記の制御チャネル配置方法において、前記受信レベル再測定工程は、測定対象となるタイムスロットを閉塞した状態で、前記受信レベルによりキャリア対干渉波電力比を測定し、前記フレーム再割り当て工程は、前記受信レベル再測定工程によって測定されたキャリア対干渉波電力比が所定の閾値以上を示す場合に、前記フレーム割り当て工程を実行することを特徴とする。
【００４４】
この発明によれば、受信レベル再測定工程において測定対象となるタイムスロットを閉塞した状態で測定される受信レベルからキャリア対干渉波電力比を取得し、フレーム再割り当て工程が、そのキャリア対干渉波電力比に応じてフレーム割り当て工程を実行することができるので、制御チャネルにおける受信レベルの変動が干渉のみを原因とするものであるかを正確に判断することができる。
【００４５】
また、本発明にかかる制御チャネル配置方法にあっては、上記の制御チャネル配置方法において、前記フレーム再割り当て工程は、前記受信レベル再測定工程によって測定されたキャリア対干渉波電力比が所定の閾値以上を示す状態が所定時間持続する場合に測定対象となるタイムスロットが干渉妨害を受けているものと判定して、前記フレーム割り当て工程を実行することを特徴とする。
【００４６】
この発明によれば、フレーム再割り当て工程が、測定されたキャリア対干渉波電力比が所定の閾値以上を示す状態が所定時間持続する場合に測定対象となるタイムスロットが干渉妨害を受けているものと判定して、フレーム割り当て工程を実行することができるので、受信レベルの変動が、上り制御チャネルの衝突によるものか干渉妨害によるものかを正確に判断することができる。
【００４７】
また、本発明にかかる制御チャネル配置方法にあっては、上記の制御チャネル配置方法において、前記受信レベル再測定工程は、受信レベルとして上りの制御チャネルの誤り検出率を測定し、前記フレーム再割り当て工程は、前記受信レベル再測定工程によって測定された誤り検出率が所定の閾値以上を示す場合に、前記フレーム割り当て工程することを特徴とする。
【００４８】
この発明によれば、受信レベル再測定工程において上りの制御チャネルの誤り検出率を測定し、フレーム再割り当て工程が、その誤り検出率に応じてフレーム割り当て工程を実行することができるので、制御チャネルのタイムスロットを使用することが困難または不可能となったかの判定をおこなうことができる。
【００４９】
【発明の実施の形態】
以下に、この発明にかかる制御チャネル配置方法の実施の形態を図面に基づいて詳細に説明する。なお、この実施の形態によりこの発明が限定されるものではない。
【００５０】
第１図は、実施の形態１にかかる制御チャネル配置方法が適用される基地局のセクタセル構成を示す説明図である。第１図において、基地局１０は、その基地局１０を中心とした円形ゾーンを６つの同じ大きさである扇形のセクタセルＣ１〜Ｃ６に分割されるように、各セクタセル内で６０°の指向性を有する指向性アンテナａ１〜ａ６を備えている。ここで、各セクタセルには同一の周波数が割り当てられているものとする。
【００５１】
また、基地局１０によって提供される無線通信システムにおいて採用される無線アクセス方式は、上述したＴＤＭＡ−ＴＤＤ方式とする。これらＴＤＭＡ−ＴＤＤ方式および上記したセクタセル構成を組み合わせることで、有限な周波数の効率良い利用が図られる。
【００５２】
よって、第１図に示すように、セクタセルＣ１のカバーエリア内に端末局ＴＡ１が位置する場合、基地局１０は、指向性アンテナａ１を用いて端末局ＴＡ１との通信をおこなうことができる。さらに、ＴＤＭＡ−ＴＤＤ方式を採用しているため、セクタセルＣ１のカバーエリア内に複数の端末局が位置している場合でも、ＴＤＭＡ−ＴＤＤフレーム内において許されるタイムスロット数だけの同時通信が可能となる。
【００５３】
つぎに、実施の形態１にかかる制御チャネル配置方法による処理の流れについて説明する。第２図は、実施の形態１にかかる制御チャネル配置方法による処理の流れを示すフローチャートである。第２図において、まず、基地局１０は、立ち上げ時等の通信確立（同期確立）可能な初期状態において、６つのセクタセルＣ１〜Ｃ６のうちの一つを選択する。ここでは、まずセクタセルＣ１を後述する受信レベルの測定対象として設定する（ステップＳ１０１）。
【００５４】
また、ここで各セクタセルとそのセクタセルに対向した位置にあるセクタセルとの対応関係を定めておく。第３図は、各セクタセルと対向セクタセルとの対応関係を示す説明図である。第１図に示すように、各セクタセルは、六角形を構成する６つの正三角形の一つとして割り当てられているため、基地局１０を中心として対称となる位置にそれぞれ互いに対向したセクタセルが配置されている。よって、第３図に示すように、セクタセルＣ１とＣ４、セクタセルＣ２とＣ５、セクタセルＣ３とＣ６がそれぞれ互いに対向関係にある。
【００５５】
ステップＳ１０１の処理後は、全セクタセル数分のＴＤＭＡ−ＴＤＤフレーム内の各タイムスロットに対して受信レベルの測定をおこなう（ステップＳ１０２）。第４図は、ＴＤＭＡ−ＴＤＤフレームの構成例を示す説明図である。第４図に示すＴＤＭＡ−ＴＤＤフレームは５つのタイムスロットにより構成されており、この場合、ステップＳ１０２の処理では、セクタセル数分のＴＭＤＡ−ＴＤＤフレーム内のタイムスロット数は、６（全セクタセル数）×５（タイムスロット／１ＴＤＭＡ−ＴＤＤフレーム）、すなわち３０個となる。
【００５６】
このように、ステップＳ１０１において最初に設定されたセクタセルＣ１、すなわち第１図に示す指向性アンテナａ１によって受信された電波のレベルを、３０個の連続したタイムスロットのそれぞれについて測定し、その測定結果を記憶しておく。この各タイムスロットにおける受信レベルの変動は、主に基地局１０の周辺に配置された他の基地局のセクタセルからの干渉波の到来に起因する。
【００５７】
ここで、受信レベルの測定によって上述したＣＩ比を演算することができる。この場合、測定されたＣＩ比が所定の閾値以上となるタイムスロットを、干渉妨害を受けているタイムスロットとみなすことができ、第４図に示すようにこのタイムスロットを、制御チャネルを配置するのに不適当なタイムスロット（受信レベルの高いスロット）として登録する。
【００５８】
第４図においては、セクタセルＣ１について、６つのＴＤＭＡ−ＴＤＤフレーム分のタイムスロットのうち、タイムスロットＴ1、Ｔ8、Ｔ11、Ｔ21、Ｔ28がそれぞれ×マークで表されており、この部分は制御チャネルを配置するのに適当ではないことを示している。
【００５９】
つづいて、ステップＳ１０２の処理がすべてのセクタセルに対しておこなわれたか否かを判定する（ステップＳ１０３）。ステップＳ１０３において、ステップＳ１０２の処理がすべてのセクタセルに対しておこなわれていない場合はつぎに選択すべきセクタセルを測定対象として設定する（ステップＳ１０５）。ここでは、セクタセルＣ１，Ｃ２，Ｃ３，Ｃ４，Ｃ５，Ｃ６の順に設定されていくものとする。よって、上記したセクタセルＣ１に対するステップＳ１０２の処理後は、セクタセルＣ２に対するステップＳ１０２の処理をおこなうことになる。
【００６０】
ステップＳ１０３において、ステップＳ１０２の処理がすべてのセクタセルに対しておこなわれたと判定された場合、すなわち、すべてのセクタセルについて第４図に示すような測定結果が得られた場合は、後述するタイムスロット抽出処理において処理対象となるセクタセルをステップＳ１０１と同様に設定する（ステップＳ１０４）。よって、まずセクタセルＣ１が処理対象として設定される。
【００６１】
そして、ステップＳ１０４において設定されたセクタセルに対応する受信レベル測定結果に対して、第３図に示す対応関係に従った対向セクタセルに対応する受信レベル測定結果を加え、新たに制御チャネルを配置するのに不適当なタイムスロットの登録をおこなう。
【００６２】
第５図は、特定のセクタセルとそれに対向するセクタセルとの双方においてそれぞれ受信レベルの高いタイムスロットを各セクタセル毎に登録した結果を示す説明図である。第５図において、たとえば、セクタセルＣ１についての登録結果は、セクタセルＣ１自身のタイムスロットにおいて高い受信レベルを示す位置が×マークとして登録されるのに加えて（第４図のセクタセルＣ１参照）、セクタセルＣ１と対向位置にあるセクタセルＣ４自身のタイムスロットにおいて高い受信レベルを示す位置Ｔ6、Ｔ27が△マークとして登録されている。
【００６３】
このように、同一基地局内において対向位置にあるセクタセルでの受信レベル測定結果を加味する理由について以下に説明する。たとえば、第１図に示すように、セクタセルＣ４の方向に干渉局Ｕ４が位置し、かつセクタセルＣ１のカバーするエリア内に端末局ＴＡ１が位置している状態において、基地局１０が干渉局Ｕ４から指向性アンテナａ４を介して信号を受信している場合に、基地局１０が指向性アンテナａ１を介して端末局ＴＡ１に向けて信号を送信すると、セクタセルＣ１とＣ４は互いに対向した位置にあるため、信号の通信方向が概ね一致してしまい、端末局ＴＡ１が基地局１０のみならず、干渉局Ｕ４の電波を受けてしまう可能性が高くなる。
【００６４】
よって、第５図に示すセクタセルＣ１のタイムスロット時系列において、×マークの登録されたタイムスロットは、自局であるセクタセルＣ１の受信レベルが高いために受信不可タイムスロットとみなすことができ、△マークの登録されたタイムスロットは、対向に位置するセクタセルＣ４の受信レベルが高いためにセクタセルＣ１にとって送信不可タイムスロットとみなすことができる。
【００６５】
特に、第５図において×マークおよび△マークの示されたタイムスロットに、通信の同期確立をおこなうための上り制御チャネルおよび下り制御チャネルを配置することは適当ではなく、高品質な通信を妨げることになる。
【００６６】
そこで、第５図に示したような登録内容に基づいて、自局のセクタセルと対向位置にあるセクタセルにおいてそれぞれ受信レベルの高いタイムスロットを除外したタイムスロット、すなわち制御チャネルを配置するのに適当なタイムスロットの抽出をおこなう（ステップＳ１０６）。
【００６７】
つづいて、ステップＳ１０６の処理がすべてのセクタセルに対しておこなわれたか否かを判定する（ステップＳ１０７）。ステップＳ１０７において、ステップＳ１０６の処理がすべてのセクタセルに対しておこなわれていない場合は、つぎに選択すべきセクタセルを処理対象として設定する（ステップＳ１０８）。ここでは、ステップＳ１０５の処理と同様なセクタセルの順に設定されていくものとする。
【００６８】
ステップＳ１０７において、ステップＳ１０６の処理がすべてのセクタセルに対しておこなわれたと判定された場合、すなわち、すべてのセクタセルについて第５図に示すような登録結果が得られた場合は、その登録結果に基づいて、各セクタセル毎にＴＤＭＡ−ＴＤＤフレームを最適なタイムスロットに割り当てる（ステップＳ１０９）。
【００６９】
第６図は、ステップＳ１０９におけるＴＤＭＡ−ＴＤＤフレームの割り当てを説明するための説明図である。第６図に示すＴＤＭＡ−ＴＤＤフレーム構成では、５タイムスロットから構成されるＴＤＭＡ−ＴＤＤフレームにおいて、第１番目のタイムスロットに下り制御チャネルＢ（Broad  cast）を配置し、第２番目のタイムスロットに上り制御チャネルＲ（Random）を配置するものとする。そして、残りの三つのタイムスロットは通信チャネルとして用いられ、この例では同時に三つの端末局との通信が可能となる。
【００７０】
さらに、本発明にかかる制御チャネル方法では、第２図のステップＳ１０６において抽出された、制御チャネル配置可能なタイムスロットを参照することで、最適なＴＤＭＡ−ＴＤＤフレームの割り当てをおこなうことができる。
【００７１】
具体的には、第６図に示すように下り制御チャネルＢおよび上り制御チャネルＲが、制御チャネル配置不可のタイムスロットを示す×マークおよび△マークを避けた位置に配置されるように、ＴＤＭＡ−ＴＤＤフレームを割り当てる。この場合、セクタセルＣ１のＴＤＭＡ−ＴＤＤフレームを割り当てた結果、他のセクタセルＣ２〜Ｃ６の各々のＴＤＭＡ−ＴＤＤフレームおける下り制御チャネルＢおよび上り制御チャネルＲの配置位置が×マークまたは△マークと重ならないように最適なＴＤＭＡ−ＴＤＤフレームの割り当て位置を選択する必要がある。
【００７２】
また、上述したように、第５図または第６図において示される×マークは受信不可タイムスロットとみなすことができるため、上り制御チャネルＲがこの×マークのタイムスロットからできるだけ遠ざけられて配置されることが好ましく、一方、△マークは送信不可タイムスロットとみなすことができるため、下り制御チャネルＢがこの△マークのタイムスロットからできるだけ遠ざけられて配置されることが好ましい。
【００７３】
以上を考慮して、第６図においては、セクタセルＣ１の制御チャネルが送信されるＴＤＭＡ−ＴＤＤフレーム２１をタイムスロットＴ2から割り当て、セクタセルＣ２の制御チャネルが送信されるＴＤＭＡ−ＴＤＤフレーム２２をタイムスロットＴ7から割り当てている。同様に、セクタセルＣ３、Ｃ４、Ｃ５およびＣ６についてもそれぞれ、ＴＤＭＡ−ＴＤＤフレーム２３をタイムスロットＴ12から、ＴＤＭＡ−ＴＤＤフレーム２４をタイムスロットＴ17から、ＴＤＭＡ−ＴＤＤフレーム２５をタイムスロットＴ22から、ＴＤＭＡ−ＴＤＤフレーム２６をタイムスロットＴ27から割り当てている。
【００７４】
なお、第６図においては、理解を容易にするため、制御チャネルの送信周期分、すなわち、６つのＴＤＭＡ−ＴＤＤフレーム分のタイムスロットＴ1〜Ｔ30のみを示しており、特にセクタセルＣ６についてＴＤＭＡ−ＴＤＤフレーム２６内の最後尾のタイムスロットはタイムスロットＴ1として示しているが、実際にはタイムスロットＴ30に時系列的に連続するタイムスロットとなる。よって、ここでは符号Ｔ1〜Ｔ30は、単に図示されたタイムスロットを特定して説明するために用いられるにすぎない。また、各図中において制御チャネルが配置されているＴＤＭＡ−ＴＤＤフレームのみを太枠で示しているが、実際には同サイズのＴＤＭＡ−ＴＤＤフレームがこれに連続している。以降の説明においても、同様である。
【００７５】
ここで、以上の説明においては、下り制御チャネルＢおよび上り制御チャネルＲがともに同一のＴＤＭＡ−ＴＤＤフレーム内に配置されるものとしたが、これら異なったＴＤＭＡ−ＴＤＤフレームにそれぞれ配置する場合にも、本発明を適用することができる。
【００７６】
第７図は、この場合におけるＴＤＭＡ−ＴＤＤフレームの割り当ての他の例を説明するための説明図である。第７図においては、制御チャネルの送信周期である６つのＴＤＭＡ−ＴＤＤフレームのうち、第１番目のＴＤＭＡ−ＴＤＤフレームに上り制御チャネルＲが配置され、第２番目のＴＤＭＡ−ＴＤＤフレームに下り制御チャネルＢが配置されている。
【００７７】
特に、第７図では、上り制御チャネルＲをＴＤＭＡ−ＴＤＤフレーム内の第３番目のタイムスロットに配置し、下り制御チャネルＢをＴＤＭＡ−ＴＤＤフレーム内の第１番目のタイムスロットに配置している。そして、このように制御チャネルが配置された二つのＴＤＭＡ−ＴＤＤフレームについても上述したフレーム割り当て処理と同様に、上り制御チャネルＲおよび下り制御チャネルＢが、制御チャネル配置不可のタイムスロットを示す×マークおよび△マークを避けた位置に配置されるようにそれぞれ割り当てられる。
【００７８】
第７図においては、セクタセルＣ１の上り制御チャネルＲが送信されるＴＤＭＡ−ＴＤＤフレームをタイムスロットＴ2から割り当て、下り制御チャネルＢが送信されるＴＤＭＡ−ＴＤＤフレームをタイムスロットＴ7から割り当てている。そして、セクタセルＣ１の上り制御チャネルＲが送信されるＴＤＭＡ−ＴＤＤフレームから一つ分ずれたＴＤＭＡ−ＴＤＤフレーム内のタイムスロットＴ7から、セクタセルＣ２の上り制御チャネルＲが送信されるＴＤＭＡ−ＴＤＤフレームが割り当てられ、これにつづいてセクタセルＣ２の下り制御チャネルＢが送信されるＴＤＭＡ−ＴＤＤフレームが割り当てられる。以下、セクタセルＣ２〜Ｃ６についても同様にして、ＴＤＭＡ−ＴＤＤフレームが割り当てられる。
【００７９】
以上に説明したとおり、実施の形態１にかかる制御チャネル配置方法によれば、複数のセクタセルを有する基地局が各セクタセル毎に上り制御チャネルおよび下り制御チャネルの双方をＴＤＭＡ−ＴＤＤフレーム内の所定のタイムスロット位置に配置して送信する際に、基地局のセクタセル数分のＴＤＭＡ−ＴＤＤフレームに亘って、各タイムスロットの受信レベルを各セクタセル毎に測定し、同一基地局内のすべてのセクタセルのうち第１のセクタセルに対して測定された受信レベル測定結果と第１のセクタセルと対向位置にある第２のセクタセルに対して測定された受信レベル測定結果とを用いて、セクタセル数分のＴＤＭＡ−ＴＤＤフレームに亘るタイムスロットのうち制御チャネルを配置することが可能なタイムスロットを抽出し、抽出したタイムスロットとＴＤＭＡ−ＴＤＤフレーム内のタイムスロットのうち制御チャネルを配置する所定のタイムスロット位置（上述した例では、ＴＤＭＡ−ＴＤＤフレーム内の第１番目および第２番目のタイムスロット）とが一致するようにＴＤＭＡ−ＴＤＤフレームを各セクタセル毎に割り当てているので、上り制御チャネルと下り制御チャネルを同時に最適なタイムスロット位置に配置できる。これにより、無線通信システムにおいて高品質かつ安定した無線チャネルの通信確立をおこなうことが可能となる。
【００８０】
なお、上述した実施の形態１では、全セクタセル数分のＴＤＭＡ−ＴＤＤフレーム内の各タイムスロットに対して受信レベルを測定して記憶するとともに、測定した受信レベルのうち、所定の閾値以上となるタイムスロットを、制御チャネルを配置するのに不適当なタイムスロットとみなしたが、各セクタセルに対し、全セクタセル数分のＴＤＭＡ−ＴＤＤフレーム内の各タイムスロットの受信レベルを測定して記憶した後、各セクタセル毎に、そのセクタセルの受信レベル結果とそれに対向するセクタセルの受信レベル結果とから受信レベル分布を取得して、その受信レベル分布全体から制御チャネルを配置するのに適切なタイムスロットを特定するようにしてもよい。
【００８１】
この場合、たとえば、取得した受信レベル分布のうち、受信レベル（またはこの受信レベルから演算されたＣＩ比）の低いタイムスロットから順に制御チャネルが配置されるようにＴＤＭＡ−ＴＤＤフレームを割り当てることができる。このＴＤＭＡ−ＴＤＤフレームの割り当てをおこなう際にも、上述したように、一つのセクタセルに対するＴＤＭＡ−ＴＤＤフレームの割り当てによって、他のセクタセルでのＴＤＭＡ−ＴＤＤフレームの割り当てが自動的に定まるため、すべてのセクタセルにおいて各制御チャネルを配置しようとするタイムスロットの受信レベルの総計が最も低くなるような位置を見出して決定する必要がある。
【００８２】
つぎに、実施の形態２にかかる制御チャネル配置方法について説明する。実施の形態２にかかる制御チャネル配置方法は、上述した実施の形態１にかかる制御チャネル配置方法によって制御チャネルの配置がおこなわれ、無線通信を確立している状態において、その制御チャネルの受信レベルを測定し、その測定結果に基づき上述したタイムスロットの抽出処理およびＴＤＭＡ−ＴＤＤフレーム割り当て処理を再度実行することで制御チャネルの再配置をおこなうものである。
【００８３】
基地局のセクタセル構成や無線アクセス方式については、実施の形態１と同様であるため、ここではそれらの説明を省略し、実施の形態１にかかる制御チャネル配置方法による制御チャネルの配置によって無線通信が確立された後の処理について説明する。
【００８４】
第８図は、実施の形態２にかかる制御チャネル配置方法による処理の流れを示すフローチャートである。第８図において、まず基地局１０は、各セクタセルに対して、第２図のステップＳ１０６において制御チャネル配置可能なタイムスロット（×マークおよび△マーク）を避けるように配置されている制御チャネルのタイムスロットに対して受信レベルの測定をおこなう（ステップＳ２０１）。
【００８５】
第９図は、ＴＤＭＡ−ＴＤＤフレームの構成例を示す説明図である。第９図に示すＴＤＭＡ−ＴＤＤフレームは、実施の形態１と同様に５つのタイムスロットにより構成され、６つのＴＤＭＡ−ＴＤＤフレームを１周期として先頭のＴＤＭＡ−ＴＤＤフレーム内の第１番目および第２番目のタイムスロットにそれぞれ下り制御チャネルＢおよび上り制御チャネルＲが配置されて送受信されている。
【００８６】
第９図においては、この実施の形態にかかる制御チャネル配置方法が実行される前、すなわちＴＤＭＡ−ＴＤＤフレームが再割り当てされる前の状態では、上記した制御チャネルが配置されたＴＤＭＡ−ＴＤＤフレームは、タイムスロットＴ11から割り当てられている。この状態において、ステップＳ２０１の処理がおこなわれる。
【００８７】
そして、ステップＳ２０１の処理で測定された受信レベルに基づいて、測定対象となったタイムスロットが干渉妨害を受けているか否かの判定がおこなわれる（ステップＳ２０２）。なお、ステップＳ２０１の処理において、受信レベルの測定により上述したＣＩ比を演算することができ、この場合、ステップＳ２０２の判定は、測定されたＣＩ比が所定の閾値以上となった場合に、その制御チャネルのタイムスロットを、干渉妨害を受けているタイムスロットとみなす。
【００８８】
また、この際、制御チャネルのタイムスロットから一時的に制御チャネルを解放し、通信確立を閉ざした状態、すなわち閉塞した状態において、上記したＣＩ比の測定をおこなうこともできる。これにより、受信レベルの変動が干渉のみを原因とするものであるかを正確に判断することができる。
【００８９】
さらに、ＣＩ比の測定では、上り制御チャネルがランダムアクセス形のチャネルであるために衝突が起こる可能性があり、この場合、特に受信レベルの変動が衝突によるものか干渉妨害によるものか不明確になってしまう。そこで、ＣＩ比が所定の閾値以上を示す状態が所定時間持続する場合に、これを干渉妨害によるものと判定するようにしてもよい。
【００９０】
ＣＩ比以外にも基地局１０が端末局から受信した上り制御チャネルや通信チャネルの誤り検出率を演算して、その結果、制御チャネルのタイムスロットが干渉妨害を受けているか否かを判定することもできる。
【００９１】
ステップＳ２０２において干渉妨害を受けていると判定されない場合は、この処理を終了し、再び、所定時間経過後にステップＳ２０１の処理をおこなう。一方、ステップＳ２０２において干渉妨害を受けていると判定された場合は、第２図のステップＳ１０９の処理と同様に、制御チャネルを配置することができないタイムスロットを避けて、あらためてＴＤＭＡ−ＴＤＤフレームの割り当てをおこない、上り制御チャネルおよび下り制御チャネルを設定する（ステップＳ２０３）。すなわち、このステップＳ２０３の処理により、ＴＤＭＡ−ＴＤＤフレームの再割り当てが達成される。
【００９２】
第９図においては、上記したステップＳ２０２の処理により、上り制御チャネルＲのタイムスロットＴ12が干渉妨害を受けていると判定された場合において、制御チャネルが配置されたＴＤＭＡ−ＴＤＤフレームを、タイムスロットＴ9から割り当てられるようにＴＤＭＡ−ＴＤＤフレームの再割り当てをおこなっているものである。
【００９３】
なお、このＴＤＭＡ−ＴＤＤフレームの再割り当ては、新たに干渉妨害を受けているタイムスロット（上記した例ではタイムスロットＴ12）と第２図のステップＳ１０６の処理におけるタイムスロット抽出結果とを用いて、割り当て位置を決定する。
【００９４】
また、新たに干渉妨害を受けているタイムスロットを受信レベルの高いタイムスロットとして登録するとともに第２図のステップＳ１０６の処理のように、あらためて全セクタセル数分のＴＤＭＡ−ＴＤＤフレームに亘る各タイムスロット（対向位置にあるセクタセルのタイムスロットを含む）に対して受信レベルの測定をおこない、制御チャネルを配置することが可能なタイムスロットを抽出した後、この抽出結果を用いてＴＤＭＡ−ＴＤＤフレームの割り当て位置を決定するようにしてよい。
【００９５】
以上の実施の形態２の説明においては、ＴＤＭＡ−ＴＤＤフレームの再割り当て位置を、全セクタセル数分のＴＤＭＡ−ＴＤＤフレームに亘る各タイムスロット全体を参照して、制御チャネルを配置することが可能なタイムスロットに制御チャネル配置位置を一致させるようにＴＤＭＡ−ＴＤＤフレームの割り当て位置を決定するとしたが、制御チャネルが干渉を受けていると判定された場合に、その制御チャネルが配置されているＴＤＭＡ−ＴＤＤフレームを前または後にタイムスロットを一つ分だけずらして再度通信の確立を試みるようにすることもできる。
【００９６】
この場合、所定時間経過後にさらに第８図のステップＳ２０１と同様に受信レベルの測定がおこなわれ、その測定結果に応じて上記したタイムスロット一つ分のＴＤＭＡ−ＴＤＤフレームの配置移動が繰り返されて、最終的に干渉を受けていないタイムスロットに制御チャネルが配置される。
【００９７】
第１０図は、この場合におけるＴＤＭＡ−ＴＤＤフレームの割り当ての例を説明するための説明図である。第１０図においては、セクタセルＣ１に注目し、この実施の形態にかかる制御チャネル配置方法が実行される前、すなわちＴＤＭＡ−ＴＤＤフレームが再割り当てされる前の状態で、タイムスロットＴ11から割り当てられたＴＤＭＡ−ＴＤＤフレーム３１内において上り制御チャネルＲのタイムスロットＴ12および通信チャネルのタイムスロットＴ13が干渉を受けている状態を示している。
【００９８】
ここで、上記したステップＳ２０１およびステップＳ２０２と同様の処理により、上り制御チャネルＲのタイムスロットＴ12が干渉を受けていると判定されると、前方向にタイムスロット一つ分だけＴＤＭＡ−ＴＤＤフレーム３１をずらした再割り当てがおこなわれる（１段階後）。
【００９９】
この１段階後の再割り当てによって、ＴＤＭＡ−ＴＤＤフレーム３１内の下り制御チャネルＢはタイムスロットＴ10に配置されることになるが、このタイムスロットＴ10は第２図のステップＳ１０６により対向セクタセルＣ４の受信レベルが高いタイムスロットとして登録されているため（図中△マーク）、所定時間経過後にさらに第８図のステップＳ２０１と同様に受信レベルの測定がおこなわれることで、再度、ＴＤＭＡ−ＴＤＤフレーム３１の再割り当てをおこなう必要が生じる。
【０１００】
そこで、さらに上記した前方向にタイムスロット一つ分だけＴＤＭＡ−ＴＤＤフレーム３１をずらした再割り当てがおこなわれる（２段階後）。この結果、ＴＤＭＡ−ＴＤＤフレーム３１内の下り制御チャネルＢはタイムスロットＴ9に配置されてタイムスロットＴ10の干渉から免れることができるが、上り制御チャネルＲがタイムスロットＴ10の干渉を受けることになる。よって、この状態においても、所定時間経過後にさらに第８図のステップＳ２０１と同様に受信レベルが測定されることで、再度、上記同様にＴＤＭＡ−ＴＤＤフレーム３１の再割り当てがおこなわれる（３段階後）。
【０１０１】
この３段階後の再割り当て結果においては、下り制御チャネルＢおよび上り制御チャネルＲはともに干渉から回避しているので、最終的な制御チャネル配置位置として高品質な通信をおこなうことができる。なお、この際、他のセクタセルについてのＴＤＭＡ−ＴＤＤフレームの割り当ても変更されることになるため、実際には、再割り当て後の全セクタセルについての制御チャネルの受信レベル状態により最終的な配置位置を決定する必要がある。
【０１０２】
また、後方向にタイムスロット一つ分だけＴＤＭＡ−ＴＤＤフレーム３１をずらして再割り当てをおこなうことも可能であるが、上記した例では、再割り当て前の状態において上り制御チャネルＲのタイムスロットＴ12とその後のタイムスロットＴ13においても干渉を受けているため、これを考慮した段数だけの再割り当てを繰り返すことになる。
【０１０３】
このように、ＴＤＭＡ−ＴＤＤフレームの再割り当てを前または後にタイムスロット一つ分だけずらしてその都度通信の確立を試みることにより、制御チャネルを配置可能なタイムスロットを検索するための演算処理を省略することができるとともに、通信確立が外れた時間を最小限に抑えることが可能となり、迅速な通信の復帰を達成することができる。
【０１０４】
以上に説明したとおり、実施の形態２にかかる制御チャネル配置方法によれば、複数のセクタセルを有する基地局が各セクタセル毎に上り制御チャネルおよび下り制御チャネルの双方をＴＤＭＡ−ＴＤＤフレーム内の所定のタイムスロット位置に配置して送信する際に、基地局のセクタセル数分のＴＤＭＡ−ＴＤＤフレームに亘って、各タイムスロットの受信レベルを各セクタセル毎に測定し、同一基地局内のすべてのセクタセルのうち第１のセクタセルに対して測定された受信レベル測定結果と第１のセクタセルと対向位置にある第２のセクタセルに対して測定された受信レベル測定結果とを用いて、セクタセル数分のＴＤＭＡ−ＴＤＤフレームに亘るタイムスロットのうち制御チャネルを配置することが可能なタイムスロットを抽出し、抽出したタイムスロットとＴＤＭＡ−ＴＤＤフレーム内のタイムスロットのうち制御チャネルを配置する所定のタイムスロット位置とが一致するようにＴＤＭＡ−ＴＤＤフレームを各セクタセル毎に割り当てた結果として通信が確立している状態で、制御チャネルが配置されたタイムスロットの受信レベルをセクタセル毎に所定時間経過毎に測定し、その受信レベル測定結果が所定の閾値以上を示す場合に、上記したＴＤＭＡ−ＴＤＤフレームの割り当てを再度実行するので、通信確立中において生じた干渉妨害による通信品質の低下を回避することができ、無線通信システムにおいて高品質かつ安定した通信を提供することが可能となる。
【０１０５】
つぎに、実施の形態３にかかる制御チャネル配置方法について説明する。実施の形態３にかかる制御チャネル配置方法は、上述した実施の形態１および実施の形態２にかかる制御チャネル配置方法がＴＤＭＡ−ＴＤＤフレーム内に上り制御チャネルＲおよび下り制御チャネルＢをそれぞれ一つずつ配置したのに対し、同一のＴＤＭＡ−ＴＤＤフレーム内に上り制御チャネルＲおよび下り制御チャネルＢをそれぞれ複数配置して、各セクタセルがそれら複数の制御チャネルのうちのいずれかを制御チャネルとして使用することを特徴としている。
【０１０６】
基地局のセクタセル構成や無線アクセス方式については、実施の形態１と同様であるため、ここではそれらの説明を省略する。また、実施の形態３にかかる制御チャネル配置方法による処理は、第２図に示したステップＳ１０９の内容を除く部分が共通しているため、以下においてそのステップＳ１０９に相当するＴＤＭＡ−ＴＤＤフレームの割り当て処理について説明する。
【０１０７】
第１１図は、実施の形態３にかかる制御チャネル配置方法におけるＴＤＭＡ−ＴＤＤフレームの割り当てを説明するための説明図である。実施の形態３にかかる制御チャネル配置方法では、第１１図に示すように、複数のタイムスロットから構成される一つのＴＤＭＡ−ＴＤＤフレーム内において、第１番目〜第３番目のタイムスロットｔ1〜ｔ3に下り制御チャネルＢが配置され、第４番目〜第６番目のタイムスロットｔ4〜ｔ6に上り制御チャネルＲが配置される。そして、残りのタイムスロットが通信チャネルとして用いられる。
【０１０８】
そして、さらに全セクタセル数分のＴＤＭＡ−ＴＤＤフレーム、すなわち６つのＴＤＭＡ−ＴＤＤフレーム４１〜４６を１周期とするフレーム構成において、各セクタセルは、ＴＤＭＡ−ＴＤＤフレーム内の同種の制御チャネルを配置可能な複数のタイムスロットのうちのいずれか一つを制御チャネル配置位置としてあらかじめ割り当てられている。
【０１０９】
第１１図に示す例では、セクタセルＣ１において、第１のＴＤＭＡ−ＴＤＤフレーム４１、第３のＴＤＭＡ−ＴＤＤフレーム４３および第５のＴＤＭＡ−ＴＤＤフレーム４５のそれぞれの第１番目のタイムスロットｔ1が下り制御チャネルＢとして配置され、セクタセルＣ２において、第２のＴＤＭＡ−ＴＤＤフレーム４２、第４のＴＤＭＡ−ＴＤＤフレーム４４および第６のＴＤＭＡ−ＴＤＤフレーム４６のそれぞれの第１番目のタイムスロットｔ1が下り制御チャネルＢとして配置されている。
【０１１０】
また、セクタセルＣ３において、第１のＴＤＭＡ−ＴＤＤフレーム４１、第３のＴＤＭＡ−ＴＤＤフレーム４３および第５のＴＤＭＡ−ＴＤＤフレーム４５のそれぞれの第２番目のタイムスロットｔ2が下り制御チャネルＢとして配置され、セクタセルＣ４において、第２のＴＤＭＡ−ＴＤＤフレーム４２、第４のＴＤＭＡ−ＴＤＤフレーム４４および第６のＴＤＭＡ−ＴＤＤフレーム４６のそれぞれの第２番目のタイムスロットｔ2が下り制御チャネルＢとして配置されているものである。
【０１１１】
また、セクタセルＣ５においては、第１のＴＤＭＡ−ＴＤＤフレーム４１、第３のＴＤＭＡ−ＴＤＤフレーム４３および第５のＴＤＭＡ−ＴＤＤフレーム４５のそれぞれの第３番目のタイムスロットｔ3が下り制御チャネルＢとして配置され、セクタセルＣ６において、第２のＴＤＭＡ−ＴＤＤフレーム４２、第４のＴＤＭＡ−ＴＤＤフレーム４４および第６のＴＤＭＡ−ＴＤＤフレーム４６のそれぞれの第３番目のタイムスロットｔ3が下り制御チャネルＢとして配置されている。
【０１１２】
すなわち、第１１図に示すように、各セクタセルは、ハッチングされたタイムスロットを下り制御チャネルＢとして使用できることになる。なお、上り制御チャネルＲについても下り制御チャネルＢと同様に、各セクタセルは、各ＴＤＭＡ−ＴＤＤフレーム内のタイムスロットｔ4〜ｔ6のいずれか一つを下り制御チャネルＢとして使用できる。
【０１１３】
よって、各セクタセルは、１周期に相当する６つのＴＤＭＡ−ＴＤＤフレームのうち、三つのＴＤＭＡ−ＴＤＤフレームに配置された同種の制御チャネルのうちのいずれか一つを選択して使用できることになる。
【０１１４】
この場合の具体的なＴＤＭＡ−ＴＤＤフレームの割り当て方法は、以下に示すとおりとなる。まず、第１１図に示したように１周期に相当する６つのＴＤＭＡ−ＴＤＤフレーム内において各セクタセルに割り当てる制御チャネルの配置位置をあらかじめ定めておく。そして、実施の形態１において説明したように、６つのＴＤＭＡ−ＴＤＤフレーム内の各タイムスロットの受信レベルを測定して第５図に示したような受信レベル登録結果を取得する。つづいて、定められた制御チャネル配置位置が、取得した登録結果において上記した×マークまたは△マークとして登録されたタイムスロット以外の位置となるようにＴＤＭＡ−ＴＤＤフレームの配置を決定する。
【０１１５】
なお、上述したＴＤＭＡ−ＴＤＤフレームの割り当てが完了した後、無線通信が確立されている状態で、定期的に各セクタセルにおいて実際に配置されている制御チャネルの受信レベルを測定し、その測定結果が所定の受信レベルを超えた場合には、再度、ＴＤＭＡ−ＴＤＤフレームの割り当て処理を実行することもできる。
【０１１６】
この場合、上記したように、各セクタセルは、６つのＴＤＭＡ−ＴＤＤフレームのうち、三つのＴＤＭＡ−ＴＤＤフレームに配置された同種の制御チャネルのうちのいずれか一つを選択して使用できることから、同種の制御チャネルとして選択可能な残りのタイムスロットのうち、所定の受信レベルを超えないものがある場合には、そのタイムスロットを制御チャネルとして設定して使用することができる。よって、この場合にはＴＤＭＡ−ＴＤＤフレームの割り当て処理を実行する必要はない。
【０１１７】
一方、同種の制御チャネルとして選択可能な残りのタイムスロットのすべてが、所定の受信レベルを超えている場合には、再度、ＴＤＭＡ−ＴＤＤフレームの割り当て処理を実行する必要がある。この再度のＴＤＭＡ−ＴＤＤフレームの割り当て処理、すなわちＴＤＭＡ−ＴＤＤフレームの再割り当て処理は、たとえば、現在配置されているＴＤＭＡ−ＴＤＤフレーム全体を前または後にタイムスロット一つ分だけずらして再度通信の確立を試みることを繰り返すことで実現できる。
【０１１８】
第１２図は、この例におけるＴＤＭＡ−ＴＤＤフレームの再割り当てを説明するための説明図であり、特に、ＴＤＭＡ−ＴＤＤフレーム全体をうしろにタイムスロット一つ分だけずらして再割り当てを実行した状態を示している。この状態において、再度、各セクタセルにおいて実際に配置されている制御チャネルの受信レベルを測定し、その測定結果が所定の受信レベルを超えているか否かを判断することで、さらにタイムスロット一つ分だけずらしてＴＤＭＡ−ＴＤＤフレームの再割り当てを実行するか、制御チャネルの配置位置として確定するかを決定する。
【０１１９】
以上に説明したとおり、実施の形態３にかかる制御チャネル配置方法によれば、一つのＴＤＭＡ−ＴＤＤフレーム内に同種の制御チャネルを配置可能とする複数のタイムスロットを用意し、同一のＴＤＭＡ−ＴＤＤフレーム内において異なるセクタセルが上記制御チャネルを使用するとともに、１周期に相当する全セクタセル数分のＴＤＭＡ−ＴＤＤフレームのうちの複数のＴＤＭＡ−ＴＤＤフレームに亘って、同一のセクタセルが使用できる制御チャネル配置可能タイムスロットをあらかじめ決定しているので、ＴＤＭＡ−ＴＤＤフレームの割り当て処理またはＴＤＭＡ−ＴＤＤフレームの再割り当て処理において、端末局側からみた場合に仮に一つの制御チャネルが干渉等により使用不可能となった場合にも他の受信可能な制御チャネルを選択して使用でき、無線通信システムにおいて高品質かつ安定した通信を提供することが可能となる。
【０１２０】
つぎに、実施の形態４にかかる制御チャネル配置方法について説明する。実施の形態４にかかる制御チャネル配置方法は、上述した実施の形態３にかかる制御チャネル配置方法が、同種の制御チャネルが配置可能なタイムスロットを複数確保するとともに同一のセクタセルによって制御チャネルとして使用可能なタイムスロットの配置位置があらかじめ定められていたのに対し、その制御チャネルとして使用可能なタイムスロットの配置位置を、各タイムスロットの受信レベル測定結果に応じて決定することを特徴としている。
【０１２１】
よって、基地局のセクタセル構成や無線アクセス方式については、実施の形態１と同様であり、ここではそれらの説明を省略し、第２図に示したステップＳ１０９に相当するＴＤＭＡ−ＴＴＤフレームの割り当て処理について説明する。
【０１２２】
第１３図は、実施の形態４にかかる制御チャネル配置方法におけるＴＤＭＡ−ＴＤＤフレームの割り当てを説明するための説明図である。実施の形態４にかかる制御チャネル配置方法では、第１３図に示すように、第１２図と同様に、複数のタイムスロットから構成される一つのＴＤＭＡ−ＴＤＤフレーム内において、第１番目〜第３番目のタイムスロットｔ1〜ｔ3に下り制御チャネルＢが配置され、第４番目〜第６番目のタイムスロットｔ4〜ｔ6（図示せず）に上り制御チャネルＲが配置される。そして、残りのタイムスロットが通信チャネルとして用いられる。
【０１２３】
すなわち、この６つのＴＤＭＡ−ＴＤＤフレーム４１〜４６を１周期とするフレーム構成において、各ＴＤＭＡ−ＴＤＤフレーム内の同種の制御チャネルを配置可能な複数のタイムスロットを、各セクタセルの制御チャネル配置位置として割り当てることができる状態にある。
【０１２４】
つぎに、この実施の形態４にかかる制御チャネル配置方法において具体的なＴＤＭＡ−ＴＤＤフレームの割り当て方法は、以下に示すとおりとなる。まず、上記したＴＤＭＡ−ＴＤＤフレーム構成を前提に、実施の形態１において説明したように６つのＴＤＭＡ−ＴＤＤフレーム内の各タイムスロットの受信レベルを測定して第５図に示したような受信レベル登録結果を取得する。
【０１２５】
つづいて、取得した登録結果において上記した×マークまたは△マークとして登録されたタイムスロットを避けるように、各セクタセルの制御チャネルの配置とともにＴＤＭＡ−ＴＤＤフレームの配置を決定する。
【０１２６】
第１３図に示す例では、上記した受信レベルの測定結果に基づいて、セクタセルＣ１が、第１のＴＤＭＡ−ＴＤＤフレーム４１の第１番目のタイムスロットｔ1と、第２のＴＤＭＡ−ＴＤＤフレーム４２の第２番目のタイムスロットｔ2と、第５のＴＤＭＡ−ＴＤＤフレーム４５の第１番目のタイムスロットｔ1と、が下り制御チャネルＢとして使用できる状態となる。
【０１２７】
また、セクタセルＣ２は、第２のＴＤＭＡ−ＴＤＤフレーム４２の第３番目のタイムスロットｔ3と、第３のＴＤＭＡ−ＴＤＤフレーム４３の第２番目のタイムスロットｔ2と、第６のＴＤＭＡ−ＴＤＤフレーム４６の第１番目のタイムスロットｔ1と、が下り制御チャネルＢとして使用できる状態となる。
【０１２８】
また、セクタセルＣ３は、第２のＴＤＭＡ−ＴＤＤフレーム４２の第１番目のタイムスロットｔ1と、第４のＴＤＭＡ−ＴＤＤフレーム４４の第１番目のタイムスロットｔ1と、第５のＴＤＭＡ−ＴＤＤフレーム４５の第３番目のタイムスロットｔ3と、が下り制御チャネルＢとして使用できる状態となる。
【０１２９】
また、セクタセルＣ４は、第１のＴＤＭＡ−ＴＤＤフレーム４１の第２番目のタイムスロットｔ2と、第４のＴＤＭＡ−ＴＤＤフレーム４４の第２番目のタイムスロットｔ2と、第５のＴＤＭＡ−ＴＤＤフレーム４５の第２番目のタイムスロットｔ2と、が下り制御チャネルＢとして使用できる状態となる。
【０１３０】
また、セクタセルＣ５は、第３のＴＤＭＡ−ＴＤＤフレーム４３の第１番目のタイムスロットｔ1と、第４のＴＤＭＡ−ＴＤＤフレーム４４の第３番目のタイムスロットｔ3と、第６のＴＤＭＡ−ＴＤＤフレーム４６の第２番目のタイムスロットｔ2と、が下り制御チャネルＢとして使用できる状態となる。
【０１３１】
そして、セクタセルＣ６は、第１のＴＤＭＡ−ＴＤＤフレーム４１の第３番目のタイムスロットｔ3と、第３のＴＤＭＡ−ＴＤＤフレーム４３の第３番目のタイムスロットｔ3と、第６のＴＤＭＡ−ＴＤＤフレーム４６の第３番目のタイムスロットｔ3と、が下り制御チャネルＢとして使用できる状態となる。
【０１３２】
すなわち、第１３図に示すように、各セクタセルは、ハッチングされたタイムスロットを下り制御チャネルＢとして使用できることになる。なお、上り制御チャネルＲについても下り制御チャネルＢと同様に、各セクタセルは、受信レベルの測定結果に基づいて各ＴＤＭＡ−ＴＤＤフレーム内のタイムスロットｔ4〜ｔ6のいずれか一つを下り制御チャネルＢとして使用できるような状態となる。
【０１３３】
なお、上述したＴＤＭＡ−ＴＤＤフレームの割り当てが完了した後、無線通信が確立されている状態で、定期的に各セクタセルにおいて実際に配置されている制御チャネルの受信レベルを測定し、その測定結果が所定の受信レベルを超えた場合に、再度、ＴＤＭＡ−ＴＤＤフレームの割り当て処理を実行することは、実施の形態３と同様であり、ここではその説明を省略する。
【０１３４】
以上に説明したとおり、実施の形態４にかかる制御チャネル配置方法によれば、一つのＴＤＭＡ−ＴＤＤフレーム内に同種の制御チャネルを配置可能とする複数のタイムスロットを用意し、同一のＴＤＭＡ−ＴＤＤフレーム内において異なるセクタセルが上記制御チャネルを使用するとともに、各タイムスロットの受信レベルの測定結果に基づいて、１周期に相当する全セクタセル数分のＴＤＭＡ−ＴＤＤフレームのうちの複数のＴＤＭＡ−ＴＤＤフレームに亘って、同一のセクタセルが使用できるように制御チャネル配置可能タイムスロットを決定しているので、ＴＤＭＡ−ＴＤＤフレームの割り当て処理またはＴＤＭＡ−ＴＤＤフレームの再割り当て処理において、端末局側からみた場合に仮に一つの制御チャネルが干渉等により使用不可能となった場合にも他の受信可能な制御チャネルを選択して使用でき、無線通信システムにおいて高品質かつ安定した通信を提供することが可能となる。
【０１３５】
以上のように、本発明にかかる制御チャネル配置方法は、自動車電話や携帯電話等の無線端末局を用いたセクタゾーン構成の無線通信システムにおいて、その無線端末局と基地局との無線通信を確立するのに適している。
【０１３６】
【発明の効果】
以上、説明したとおり、この発明によれば、複数のセクタセルを有する基地局が各セクタセル毎に上り制御チャネルおよび下り制御チャネルの双方をＴＤＭＡ−ＴＤＤフレーム内の所定のタイムスロット位置に配置して送信する際に、基地局のセクタセル数分のＴＤＭＡ−ＴＤＤフレームに亘って各タイムスロットの受信レベルを各セクタセル毎に測定し、同一基地局内のすべてのセクタセルのうち第１のセクタセルに対して測定された受信レベル測定結果と第１のセクタセルと対向位置にある第２のセクタセルに対して測定された受信レベル測定結果とを用いて、セクタセル数分のＴＤＭＡ−ＴＤＤフレームに亘るタイムスロットのうち制御チャネルを配置することが可能なタイムスロットを抽出し、抽出したタイムスロットとＴＤＭＡ−ＴＤＤフレーム内のタイムスロットのうち制御チャネルを配置する所定のタイムスロット位置とが一致するようにＴＤＭＡ−ＴＤＤフレームを各セクタセル毎に割り当てているので、上り制御チャネルおよび下り制御チャネルの双方を同時に最適なタイムスロット位置に配置できる。これにより、無線通信システムにおいて高品質かつ安定した無線チャネルの通信確立をおこなうことが可能となるという効果を奏する。
【０１３７】
つぎの発明によれば、タイムスロット抽出工程が、前記受信レベル測定工程によって測定された第１のセクタセルに対する前記セクタセル数分に亘るＴＤＭＡ−ＴＤＤフレーム内のタイムスロットのうち、その受信レベルが所定の閾値以下であるタイムスロットを特定し、さらにその特定したタイムスロットのうち、前記受信レベル測定工程によって測定された第２のセクタセル（第１のセクタセルと対向位置にあるセクタセル）に対する測定結果が所定の閾値以下となるタイムスロットを、第１のセクタセルにおける制御チャネル配置可能なタイムスロットと判断するので、干渉等により不安定な状態となっているタイムスロット位置を上り制御チャネルおよび下り制御チャネルの配置候補から除外することができ、無線通信システムにおいて高品質かつ安定した無線チャネルの通信確立をおこなうことが可能となるという効果を奏する。
【０１３８】
つぎの発明によれば、タイムスロット抽出工程が、前記受信レベル測定工程によって測定された第１のセクタセルに対する受信レベル測定結果に第２のセクタセル（第１のセクタセルと対向位置にあるセクタセル）に対する受信レベル測定結果を加え、その加えた結果により得られる値が最小となるタイムスロットから順に、第１のセクタセルにおいて制御チャネルを配置することが可能なタイムスロットであると判断するので、より通信の安定な状態となっているタイムスロット位置を上り制御チャネルおよび下り制御チャネルの配置位置として割り当てることができ、無線通信システムにおいて高品質かつ安定した無線チャネルの通信確立をおこなうことが可能となるという効果を奏する。
【０１３９】
つぎの発明によれば、ＴＤＭＡ−ＴＤＤフレームが、上りの制御チャネルと下りの制御チャネルを配置するためのタイムスロット位置をそれぞれ複数確保し、かつそれぞれの複数のタイムスロット位置に互いに異なるセクタセルのための制御チャネルを配置して構成されており、フレーム割り当て工程が特定のＴＤＭＡ−ＴＤＤフレーム（すなわち、特定のセクタセルに対応するＴＤＭＡ−ＴＤＤフレーム）の割り当てをおこなうに際し、セクタセル数分に亘るＴＤＭＡ−ＴＤＤフレーム内において、特定のＴＤＭＡ−ＴＤＤフレーム内の上記した制御チャネルを配置するためのタイムスロット位置とその特定のＴＤＭＡ−ＴＤＤフレームとは異なる他のＴＤＭＡ−ＴＤＤフレーム内の上記した制御チャネルを配置するためのタイムスロット位置とのいずれかのタイムスロット位置が、タイムスロット抽出工程により抽出されたタイムスロットに一致することを条件としているので、一つのセクタセルに対してＴＤＭＡ−ＴＤＤフレームの割り当てをおこなうのに、セクタセル数分のＴＤＭＡ−ＴＤＤフレームに亘って分散された複数の制御チャネル配置位置のうちから選択することができ、端末局側からみた場合に一つの制御チャネルが干渉等により使用不可能となった場合にも他の受信可能な制御チャネルを選択して使用でき、無線通信システムにおいて高品質かつ安定した通信を提供することが可能となるという効果を奏する。
【０１４０】
つぎの発明によれば、ＴＤＭＡ−ＴＤＤフレームが、上りの制御チャネルと下りの制御チャネルを配置するためのタイムスロット位置をそれぞれ複数確保し、かつ、受信レベル測定工程によって測定された受信レベル測定結果に基づいて、それぞれの複数のタイムスロット位置に互いに異なるセクタセルのための制御チャネルを配置するように構成され、フレーム割り当て工程が特定のＴＤＭＡ−ＴＤＤフレーム（すなわち、特定のセクタセルに対応するＴＤＭＡ−ＴＤＤフレーム）の割り当てをおこなうに際し、セクタセル数分に亘るＴＤＭＡ−ＴＤＤフレーム内において、特定のＴＤＭＡ−ＴＤＤフレーム内の上記した制御チャネルを配置するためのタイムスロット位置とその特定のＴＤＭＡ−ＴＤＤフレームとは異なる他のＴＤＭＡ−ＴＤＤフレーム内の上記した制御チャネルを配置するためのタイムスロット位置とのいずれかのタイムスロット位置が、タイムスロット抽出工程により抽出されたタイムスロットに一致することを条件としているので、一つのセクタセルに対してＴＤＭＡ−ＴＤＤフレームの割り当てをおこなうのに、セクタセル数分のＴＤＭＡ−ＴＤＤフレームに亘って分散された複数の制御チャネル配置位置のうちから選択することができ、端末局側からみた場合に一つの制御チャネルが干渉等により使用不可能となった場合にも他の受信可能な制御チャネルを選択して使用でき、無線通信システムにおいて高品質かつ安定した通信を提供することが可能となるという効果を奏する。
【０１４１】
つぎの発明によれば、複数のセクタセルを有する基地局が各セクタセル毎に上り制御チャネルおよび下り制御チャネルの双方をＴＤＭＡ−ＴＤＤフレーム内の所定のタイムスロット位置に配置して送信する際に、基地局のセクタセル数分のＴＤＭＡ−ＴＤＤフレームに亘って各タイムスロットの受信レベルを各セクタセル毎に測定し、同一基地局内のすべてのセクタセルのうち第１のセクタセルに対して測定された受信レベル測定結果と第１のセクタセルと対向位置にある第２のセクタセルに対して測定された受信レベル測定結果とを用いてセクタセル数分のＴＤＭＡ−ＴＤＤフレームに亘るタイムスロットのうち制御チャネルを配置することが可能なタイムスロットを抽出し、抽出したタイムスロットとＴＤＭＡ−ＴＤＤフレーム内のタイムスロットのうち制御チャネルを配置する所定のタイムスロット位置とが一致するようにＴＤＭＡ−ＴＤＤフレームを各セクタセル毎に割り当てた結果として通信が確立している状態で、制御チャネルの配置されたタイムスロットの受信レベルをセクタセル毎に定期的に測定し、その受信レベル測定結果が所定の閾値以上を示す場合に、上記したＴＤＭＡ−ＴＤＤフレームの割り当てを再度実行するので、通信確立中において生じた干渉妨害による通信品質の低下を回避することができ、これにより、無線通信システムにおいて高品質かつ安定した無線チャネルの通信確立をおこなうことが可能となるという効果を奏する。
【０１４２】
つぎの発明によれば、再度実行されるＴＤＭＡ−ＴＤＤフレームの割り当てが、ＴＤＭＡ−ＴＤＤフレームを前または後の一つのタイムスロット分だけずれた位置への割り当てとなるので、ＴＤＭＡ−ＴＤＤフレームを前または後に一つのタイムスロット分だけずらしてその都度通信の確立を試みることにより、制御チャネルを配置可能なタイムスロットを検索するための演算処理を省略することができるとともに、通信確立が外れた時間を最小限に抑えることが可能となるという効果を奏する。
【０１４３】
つぎの発明によれば、制御チャネルの配置されたタイムスロットについて測定される受信レベルからキャリア対干渉波電力比を取得し、そのキャリア対干渉波電力比に応じてＴＤＭＡ−ＴＤＤフレームの再割り当てを実行することができるので、制御チャネルが干渉妨害を受けているか否かの判定を正確におこなうことができるという効果を奏する。
【０１４４】
つぎの発明によれば、測定対象となる制御チャネルの配置されたタイムスロットを閉塞した状態で測定される受信レベルからキャリア対干渉波電力比を取得し、そのキャリア対干渉波電力比に応じてＴＤＭＡ−ＴＤＤフレームの再割り当てを実行することができるので、制御チャネルにおける受信レベルの変動が干渉のみを原因とするものであるかを正確に判断することができるという効果を奏する。
【０１４５】
つぎの発明によれば、制御チャネルの配置されたタイムスロットについて測定されたキャリア対干渉波電力比が所定の閾値以上を示す状態が所定時間持続する場合に測定対象となるタイムスロットが干渉妨害を受けているものと判定して、ＴＤＭＡ−ＴＤＤフレームの再割り当てを実行することができるので、受信レベルの変動が、上り制御チャネルの衝突によるものか干渉妨害によるものかを正確に判断することができるという効果を奏する。
【０１４６】
つぎの発明によれば、上りの制御チャネルの誤り検出率を測定し、その誤り検出率に応じてＴＤＭＡ−ＴＤＤフレームの再割り当てを実行することができるので、制御チャネルのタイムスロットを使用することが困難または不可能となったか否かの判定をおこなうことができるという効果を奏する。
【図面の簡単な説明】
【図１】  第１図は、実施の形態１にかかる制御チャネル配置方法が適用される基地局のセクタセル構成を示す説明図である。
【図２】  第２図は、実施の形態１にかかる制御チャネル配置方法による処理の流れを示すフローチャートである。
【図３】  第３図は、実施の形態１にかかる制御チャネル配置方法において、各セクタセルと対向セクタセルとの対応関係を示す説明図である。
【図４】  第４図は、実施の形態１にかかる制御チャネル配置方法において、ＴＤＭＡ−ＴＤＤフレームの構成例を示す説明図である。
【図５】  第５図は、実施の形態１にかかる制御チャネル配置方法において、特定のセクタセルとそれに対向するセクタセルとの双方においてそれぞれ受信レベルの高いタイムスロットを各セクタセル毎に登録した結果を示す説明図である。
【図６】  第６図は、実施の形態１にかかる制御チャネル配置方法において、ＴＤＭＡ−ＴＤＤフレームの割り当てを説明するための説明図である。
【図７】  第７図は、実施の形態１にかかる制御チャネル配置方法において、ＴＤＭＡ−ＴＤＤフレームの割り当ての他の例を説明するための説明図である。
【図８】  第８図は、実施の形態２にかかる制御チャネル配置方法による処理の流れを示すフローチャートである。
【図９】  第９図は、実施の形態２にかかる制御チャネル配置方法において、ＴＤＭＡ−ＴＤＤフレームの構成例を示す説明図である。
【図１０】  第１０図は、実施の形態２にかかる制御チャネル配置方法において、ＴＤＭＡ−ＴＤＤフレームの割り当ての例を説明するための説明図である。
【図１１】  第１１図は、実施の形態３にかかる制御チャネル配置方法において、ＴＤＭＡ−ＴＤＤフレームの構成例を示す説明図である。
【図１２】  第１２図は、実施の形態３にかかる制御チャネル配置方法において、ＴＤＭＡ−ＴＤＤフレームの割り当ての例を説明するための説明図である。
【図１３】  第１３図は、実施の形態４にかかる制御チャネル配置方法において、ＴＤＭＡ−ＴＤＤフレームの割り当ての例を説明するための説明図である。
【図１４】  第１４図は、従来のＴＤＭＡ−ＴＤＤ方式におけるフレーム構成を示す説明図である。
【符号の説明】
１０  基地局
ａ１〜ａ６  アンテナ
Ｃ１〜Ｃ６  セクタセル
ＴＡ１，Ｕ４  端末局
【図１】
0004127460.tif 000002
【図２】
0004127460.tif 000003
【図３】
0004127460.tif 000004
【図４】
0004127460.tif 000005
【図５】
0004127460.tif 000006
【図６】
0004127460.tif 000007
【図７】
0004127460.tif 000008
【図８】
0004127460.tif 000009
【図９】
0004127460.tif 000010
【図１０】
0004127460.tif 000011
【図１１】
0004127460.tif 000012
【図１２】
0004127460.tif 000013
【図１３】
0004127460.tif 000014
【図１４】
0004127460.tif 000015